(57)【特許請求の範囲】
【請求項１】
通信網を介して接続された通信機器に情報提供を行うセンタ装置の情報通信方法であって、
前記センタ装置では、位置に関する情報を情報蓄積手段に蓄積し、前記通信機器の着信アドレスと該通信機器の機器仕様とを対応付けて管理し、
前記通信機器からのアクセスがあると、当該通信機器の着信アドレス、及び当該通信機器の位置または方位情報を受信し、
前記通信機器から受信した位置または方位情報に基づいて、前記情報蓄積手段に蓄積された情報から該当する位置に関する情報を選択し、該通信機器の方位に対応するように、該当情報の座標変換を行い、
受信した着信アドレスに対応する通信機器の機器仕様を定め、
座標変換された情報を、通信機器の機器仕様に適合する形態に情報を変換して、前記通信機器に送信する
ことを特徴とする情報通信方法。
【請求項２】
通信網を介して接続された通信機器に情報提供を行うセンタ装置の情報通信方法であって、
前記センタ装置では、位置に関する情報を情報蓄積手段に蓄積し、前記通信機器の着信アドレスと該通信機器の機器仕様とを対応付けて管理し、
個人識別情報に対して、前記情報蓄積手段に蓄積された情報の情報項目別に習熟度を管理し、
前記通信機器からのアクセスがあると、当該通信機器の着信アドレス、及び個人識別情報、及び当該通信機器の位置または方位情報を受信し、
前記通信機器から受信した位置または方位情報に基づいて、前記情報蓄積手段に蓄積された情報から該当する位置に関する情報を選択し、該通信機器の方位に対応するように、該当情報の座標変換を行い、
受信した着信アドレスに対応する通信機器の機器仕様を定め、
座標変換された情報を、個人識別情報毎に管理された情報項目別の習熟度に適合する形態に情報を変換すると共に、通信機器の機器仕様に適合する形態に情報を変換して、前記通信機器に送信する
ことを特徴とする情報通信方法。
【請求項３】
前記センタ装置において、前記通信機器からのアクセス回数に基づいて習熟度を判断し、前記個人識別情報毎に管理された情報項目別の習熟度を更新する請求項２記載の情報通信方法。
【請求項４】
通信網を介して接続された通信機器に情報提供を行うセンタ装置であって、
前記通信機器とのデータを送受信するデータ送受信手段と、
位置に関する情報を蓄積する情報蓄積手段と、
前記通信機器の着信アドレスと該通信機器の機器仕様とを対応付けて管理する通信機器仕様管理手段と、
前記データ送受信手段にて受信した当該通信機器の位置または方位情報に基づいて、前記情報蓄積手段に蓄積された情報から該当する位置に関する情報を選択し、該通信機器の方位に対応するように、該当情報の座標変換を行う該当位置情報選択・座標変換手段と、
前記通信機器仕様管理手段を通して、前記データ送受信手段にて受信した着信アドレスに対応する通信機器の機器仕様を定める制御手段と、
前記該当位置情報選択・座標変換手段にて変換された情報を、前記制御手段にて定められた機器仕様に適合する形態に変換する情報変換手段と、
前記情報変換手段により変換された情報を前記通信機器へ送信する送信制御手段と、
を有することを特徴とするセンタ装置。
【請求項５】
通信網を介して接続された通信機器に情報提供を行うセンタ装置であって、
前記通信機器とのデータを送受信するデータ送受信手段と、
前記通信機器から個人識別情報を受信する受信手段と、
位置に関する情報を蓄積する情報蓄積手段と、
前記通信機器の着信アドレスと該通信機器の機器仕様とを対応付けて管理する通信機器仕様管理手段と、
個人識別情報に対して、前記情報蓄積手段に蓄積された情報の情報項目別に習熟度を管理する習熟度管理手段と、
前記データ送受信手段にて受信した当該通信機器の位置または方位情報に基づいて、前記情報蓄積手段に蓄積された情報から該当する位置に関する情報を選択し、該通信機器の方位に対応するように、該当情報の座標変換を行う該当位置情報選択・座標変換手段と、
前記通信機器仕様管理手段を通して、前記データ送受信手段にて受信した着信アドレスに対応する通信機器の機器仕様を定める制御手段と、
前記該当位置情報選択・座標変換手段にて変換された情報を、個人識別情報毎に管理された情報項目別の習熟度に適合する形態に変換すると共に、前記制御手段にて定められた機器仕様に適合する形態に変換する情報変換手段と、
前記情報変換手段により変換された情報を前記通信機器へ送信する送信制御手段と、
を有することを特徴とするセンタ装置。
【請求項６】
前記通信機器からのアクセス回数に基づいて習熟度を判断し、前記個人識別情報毎に管理された情報項目別の習熟度を更新する更新手段を有する請求項５記載のセンタ装置。
【発明の詳細な説明】
【０００１】
【発明の属する技術分野】
本発明は、情報通信方法及びセンタ装置に係り、特に、マルチメディア情報通信システムにおける、マルチメディア通信機器及びセンタ装置から構成されるシステムにおける個人識別情報毎のデータベース管理等に用いられる情報通信方法及びセンタ装置に関する。
【０００２】
【従来の技術】
図１１は、従来の情報通信システムの構成を示す。
従来の情報通信システムは、通信網を介して接続された通信機器３１と、当該通信機器３１に情報を提供するセンタ装置３２から構成される。
センタ装置３２は、回線接続インタフェース部３３、データ送信部３４、データ受信部３５、情報蓄積部３６、及び制御部３７から構成される。
【０００３】
情報検索サービスを利用する際に、サービス利用者は、通信機器３１よりセンタ装置３２の制御部３７へ情報の検索を指示する。センタ装置３２の制御部３７は、サービス利用者が要求した情報を情報蓄積部３６より検索し、該当する情報をデータ送信部３４と、回線接続インタフェース部３３を介して送信する。
【０００４】
【発明が解決しようとする課題】
しかしながら、上記従来の方法では、サービス利用者が使用する通信機器が多種多様（表示スペースの有無、表示スペースの大小、メディアの不一致、等）であるにも関わらず、センタ装置からは一定の形式しか情報が送信されず、サービス利用者の使用する通信機器によっては、情報を受信できないという問題がある。
【０００５】
また、検索する同一情報に関する習熟度が個人間で大きく異なる場合にも、センタ装置からは、均一の情報しか送信されず、使用者の習熟度に適合した情報となり得ないという問題がある。
さらに、通信機器の移動を伴う使用時には、センタ装置では通信機器の位置の検出ができないため、通信機器の位置に適合した情報を提供できないという問題がある。
【０００６】
本発明は、上記の点に鑑みなされたもので、その第１の目的は、通信機器に自通信機器の着信アドレス等の通信機器識別情報を記憶する手段を設け、さらに、センタ装置には、通信機器識別情報と通信機器の機器仕様とを対応付けて管理する手段を設け、情報を検索した通信機器の機器仕様に適合する形態に情報を変換して送信することである。
【０００７】
第２の目的は、個人識別情報が記憶された携帯形記憶媒体を用いて、通信機器がセンタ装置に接続した時には、個人識別情報をセンタ装置に送信する手段を通信機器に設け、センタ装置には、個人識別情報に対して情報項目別に習熟度を管理する手段を設け、個人識別情報毎に管理された情報項目別の習熟度に適合する形態に情報を変換し、送信することである。
【０００８】
第３の目的は、通信機器からのアクセス回数で習熟度を自動的に判断し、個人識別情報毎に管理された情報項目別の習熟度を更新することである。
第４の目的は、通信機器には、位置または、方位検出手段と、センタ装置と接続時に位置または、方位情報を送信する手段を設け、センタ装置には、通信機器から受信した位置または、方位情報に基づいて、情報蓄積手段に蓄積された情報から該当する位置に関する情報を選択し、通信機器の方位に対応するように、該当情報の座標変換を行い、変換された情報を通信機器へ送信することにより、個人の移動した場所に適合した情報を提供することである。
【０００９】
第５の目的は、携帯形記憶媒体とセンタ装置間で認証手段を設けることによりセキユリティを高めることである。
【００１０】
【課題を解決するための手段】
本発明は、通信網を介して接続された通信機器に情報提供を行うセンタ装置の情報通信方法であって、
前記センタ装置では、位置に関する情報を情報蓄積手段に蓄積し、前記通信機器の着信アドレスと該通信機器の機器仕様とを対応付けて管理し、
前記通信機器からのアクセスがあると、当該通信機器の着信アドレス、及び当該通信機器の位置または方位情報を受信し、
前記通信機器から受信した位置または方位情報に基づいて、前記情報蓄積手段に蓄積された情報から該当する位置に関する情報を選択し、該通信機器の方位に対応するように、該当情報の座標変換を行い、
受信した着信アドレスに対応する通信機器の機器仕様を定め、
座標変換された情報を、通信機器の機器仕様に適合する形態に情報を変換して、前記通信機器に送信する。
【００１１】
本発明は、通信網を介して接続された通信機器に情報提供を行うセンタ装置の情報通信方法であって、
前記センタ装置では、位置に関する情報を情報蓄積手段に蓄積し、前記通信機器の着信アドレスと該通信機器の機器仕様とを対応付けて管理し、
個人識別情報に対して、前記情報蓄積手段に蓄積された情報の情報項目別に習熟度を管理し、
前記通信機器からのアクセスがあると、当該通信機器の着信アドレス、及び個人識別情報、及び当該通信機器の位置または方位情報を受信し、
前記通信機器から受信した位置または方位情報に基づいて、前記情報蓄積手段に蓄積された情報から該当する位置に関する情報を選択し、該通信機器の方位に対応するように、該当情報の座標変換を行い、
受信した着信アドレスに対応する通信機器の機器仕様を定め、
座標変換された情報を、個人識別情報毎に管理された情報項目別の習熟度に適合する形態に情報を変換すると共に、通信機器の機器仕様に適合する形態に情報を変換して、前記通信機器に送信する。
【００１２】
本発明は、前記センタ装置において、前記通信機器からのアクセス回数に基づいて習熟度を判断し、前記個人識別情報毎に管理された情報項目別の習熟度を更新する。
【００１３】
本発明では、以下に示すセンタ装置をもつ。
【００１４】
本発明は、通信網を介して接続された通信機器に情報提供を行うセンタ装置であって、
前記通信機器とのデータを送受信するデータ送受信手段と、
位置に関する情報を蓄積する情報蓄積手段と、
前記通信機器の着信アドレスと該通信機器の機器仕様とを対応付けて管理する通信機器仕様管理手段と、
前記データ送受信手段にて受信した当該通信機器の位置または方位情報に基づいて、前記情報蓄積手段に蓄積された情報から該当する位置に関する情報を選択し、該通信機器の方位に対応するように、該当情報の座標変換を行う該当位置情報選択・座標変換手段と、
前記通信機器仕様管理手段を通して、前記データ送受信手段にて受信した着信アドレスに対応する通信機器の機器仕様を定める制御手段と、
前記該当位置情報選択・座標変換手段にて変換された情報を、前記制御手段にて定められた機器仕様に適合する形態に変換する情報変換手段と、
前記情報変換手段により変換された情報を前記通信機器へ送信する送信制御手段と、を有する。
【００１５】
本発明では、通信網を介して接続された通信機器に情報提供を行うセンタ装置であって、
前記通信機器とのデータを送受信するデータ送受信手段と、
前記通信機器から個人識別情報を受信する受信手段と、
位置に関する情報を蓄積する情報蓄積手段と、
前記通信機器の着信アドレスと該通信機器の機器仕様とを対応付けて管理する通信機器仕様管理手段と、
個人識別情報に対して、前記情報蓄積手段に蓄積された情報の情報項目別に習熟度を管理する習熟度管理手段と、
前記データ送受信手段にて受信した当該通信機器の位置または方位情報に基づいて、前記情報蓄積手段に蓄積された情報から該当する位置に関する情報を選択し、該通信機器の方位に対応するように、該当情報の座標変換を行う該当位置情報選択・座標変換手段と、
前記通信機器仕様管理手段を通して、前記データ送受信手段にて受信した着信アドレスに対応する通信機器の機器仕様を定める制御手段と、
前記該当位置情報選択・座標変換手段にて変換された情報を、個人識別情報毎に管理された情報項目別の習熟度に適合する形態に変換すると共に、前記制御手段にて定められた機器仕様に適合する形態に変換する情報変換手段と、
前記情報変換手段により変換された情報を前記通信機器へ送信する送信制御手段と、を有する。
【００１６】
本発明では、前記通信機器からのアクセス回数に基づいて習熟度を判断し、前記個人識別情報毎に管理された情報項目別の習熟度を更新する更新手段を有する。
【００１７】
本発明は、通信機器において、自通信機器の着信アドレス等の通信機器の識別情報をセンタ装置へ送信し、センタ装置において、通信機器識別情報と通信機器の機器仕様とを対応付けて管理することにより、通信機器からの情報検索時に、センタ装置は、情報を検索した通信機器の機器仕様に適合する形態に情報を変換して送信することが可能となる。
【００１８】
本発明は、通信機器が、個人識別情報が記憶された外部形態形記憶媒体を利用することにより、個人識別情報をセンタ装置に送信し、センタ装置は、情報蓄積手段に蓄積された情報の項目別習熟度を個人識別情報毎に管理することにより、通信機器が情報検索要求を発行すると、センタ装置は、個人識別情報毎に管理された情報の項目別習熟度を求め、情報蓄積手段に蓄積された情報を、情報変換手段において、個人識別情報毎に管理された情報の項目別習熟度に適合する形態に情報を変換し、変換された情報を通信機器へ送信することが可能となる。
【００１９】
また、通信機器からのアクセス回数で情報の項目別習熟度を自動的に判断し、個人識別情報毎に管理された情報の項目別習熟度を更新することができる。
本発明は、通信機器において、自通信機器の通信機器識別情報と外部携帯形記憶媒体に記憶された個人識別情報をセンタ装置へ送信し、センタ装置は、通信機器識別情報と通信機器の機器仕様とを対応付けて管理する手段と、情報蓄積手段に蓄積された情報の項目別習熟度を個人識別情報毎に管理する手段により、通信機器が情報検索時、センタ装置は、個人識別情報毎に、管理された情報の項目別習熟度と、受信した通信機器識別情報に基づいて、通信機器の機器仕様を求め、情報蓄積手段に蓄積された情報を、情報変換手段により個人識別情報毎に管理された情報の項目別習熟度に適合する形態に情報を変換すると共に、通信機器の機器仕様に適合する形態に情報を変換し、変換された情報を通信機器へ送信することができる。
【００２０】
また、通信機器からのアクセス回数で情報の項目別習熟度を自動的に判断し、個人識別情報毎に管理された情報の項目別習熟度を更新することができる。
本発明は、通信機器において、自通信機器の位置または、方位を検出する手段を有し、位置または、方位情報をセンタ装置に送信し、センタ装置は、通信機器から受信した位置または、方位情報に基づいて情報蓄積手段に蓄積された情報から該当する位置に関する情報を選択し、通信機器の方位に対応するように該当情報の座標変換を行うことができ、通信機器がセンタ装置への情報検索時、通信機器より受信された位置または、方位情報に基づいて情報蓄積手段に蓄積された情報を該当位置情報選択・座標変換手段において、該当する位置に関する情報を選択し、通信機器の方位に対応するように該当情報の座標変換を行い、変換された情報を通信機器へ送信することができる。
【００２２】
【発明の実施の形態】
以下、本発明の実施例を図を用いて詳細に説明する。
図１は、本発明の第１の情報通信システムの構成を示す。この通信システムは、通信網１に接続された通信機器２と、この通信機器２に情報を提供するセンタ装置３とを備える。
【００２３】
通信機器２は、自通信機器の着信アドレス等の通信機器識別情報を記憶する通信機器識別情報記憶部４と、センタ装置３とデータを送受するデータ送受信部５と、制御部６と、サービス利用者が操作を行う操作入力部７と、表示を行う表示部８と、通信網１に接続する回線接続インタフェース部９とを備え、制御部６は、センタ装置３へ接続した時、通信機器識別情報をセンタ装置３に通知する制御を行う。
【００２４】
センタ装置３は、通信機器２とデータを送受するデータ送受信部１０と、情報を蓄積する情報蓄積部１１と、情報を変換する情報変換部１２と、通信機器識別情報と通信機器２の機器仕様を対応づけて管理する通信機器機器仕様管理部１３と、制御部１４と、通信網１に接続する回線接続インタフェース部１５とを備える。
【００２５】
図２は、本発明の第１の情報通信システムの動作のフローチャートである。
ステップ１０１）  サービス利用者は通信機器２の操作入力部７からセンタアクセス番号を入力すると、制御部６は、データ送受信部５と回線接続インタフェース部９を経由してセンタ装置３への接続を行う。
ステップ１０２）    センタ装置３では、制御部１４により、回線接続インタフェース部１５とデータ送受信部１０を経由して通信機器２からのアクセスに応答する。
【００２６】
ステップ１０３）  センタ装置３が応答すると通信機器２の制御部６は、通信機器識別情報記憶部４に記憶されている通信機器識別情報を読み出し、データ送受信部５と回線接続インタフェース部９を経由して、通信機器識別情報をセンタ装置３へ送信する。
ステップ１０４）  センタ装置３は、この通信機器識別情報を回線接続インタフェース部１５とデータ送受信部１０により受信する。
【００２７】
ステップ１０５）  制御部１４は通信機器識別情報と通信機器２の機器仕様を対応づけて管理する通信機器機器仕様管理部１３において、受信した通信機器識別情報から対応する通信機器２の機器仕様を求める。
ステップ１０６）  通信機器２がセンタ装置３への情報検索に対して、センタ装置３の制御部１４は、情報蓄積部１１に蓄積された情報を読み出す。
【００２８】
ステップ１０７）  情報を変換する情報変換部１２において、通信機器２の機器仕様に適合する形態に情報を変換する。
ステップ１０８）  回線接続インタフェース部１５とデータ送受信部１０を経由して通信機器２へ送信する。
ステップ１０９）  通信機器２は回線接続インタフェース部９とデータ送受信部５を経由して、センタ装置３からの情報を受信し、表示部８に表示する。
【００２９】
これにより、通信機器２において、自通信機器の着信アドレス等の通信機器の識別情報をセンタ装置３へ送信し、センタ装置３において、通信機器識別情報と通信機器の機器仕様とを対応付けて管理することにより、通信機器２からの情報検索要求時に、センタ装置３は、情報を検索した通信機器２の機器仕様に適合する形態に情報を変換して送信することが可能となる。
【００３０】
図３は、本発明の第２の情報通信システムの構成を示す。この通信システムは、通信網１に接続され携帯形記憶媒体１６が装着される通信機器２と、この通信機器２に情報を提供するセンタ装置３とを備える。
携帯形記憶媒体１６は例えばＩＣカードにより構成され、個人識別情報（以下「個人ＩＤ」という）を記憶する個人ＩＤ記憶部１７と機器インタフェース部１８を備える。
【００３１】
通信機器２は、センタ装置３とデータを送受するデータ送受信部５と、制御部６と、サービス利用者が操作を行う操作入力部７と、表示を行う表示部８と、通信網１に接続する回線接続インタフェース部９と、携帯形記憶媒体１６が装着されるカードインタフェース部１９とを備え、制御部６は、センタ装置３へ接続した時、個人ＩＤをセンタ装置３に通知する制御を行う。
【００３２】
センタ装置３は、通信機器２とデータを送受するデータ送受信部１０と、情報を蓄積する情報蓄積部１１と、情報を変換する情報変換部１２と、制御部１４と、通信網１に接続する回線接続インタフェース部１５と、情報蓄積部１１に蓄積された情報の項目別習熟度を個人ＩＤ毎に管理する個人毎項目別習熟度管理部２０を備える。
【００３３】
図４は、本発明の第２の情報通信システムの動作のフローチャートである。
ステップ２０１）  サービス利用者は個人ＩＤが記憶された携帯形記憶媒体１６を通信機器２に装着する。
ステップ２０２）  サービス利用者は通信機器２に携帯形記憶媒体１６が装着された状態で操作入力部７からセンタアクセス番号を入力すると、制御部６は、データ送受信部５と回線接続インタフェース部９を経由してセンタ装置３への発信を行う。
【００３４】
ステップ２０３）  センタ装置３では、制御部１４により、回線接続インタフェース部１５とデータ送受信部１０を経由して通信機器２からのアクセスに応答する。
ステップ２０４）  センタ装置３が応答すると通信機器２の制御部６は、携帯形記憶媒体１６内の個人ＩＤ記憶部１７から個人ＩＤを読み出し、データ送受信部５と回線接続インタフェース部９を経由して、個人ＩＤをセンタ装置３へ送信する。
【００３５】
ステップ２０５）  センタ装置３は、この個人ＩＤを回線接続インタフェース部１５とデータ送受信部１０により受信する。
ステップ２０６）  制御部１４は、情報蓄積部１１に蓄積された情報の項目別習熟度を個人ＩＤ毎に管理する個人毎項目別習熟度管理部２０において、受信した個人ＩＤに対応する情報の項目別習熟度を求める。
【００３６】
ステップ２０７）  通信機器２がセンタ装置３への情報検索に対して、センタ装置３の制御部１４は、情報蓄積部１１に蓄積された情報を読み出す。
ステップ２０８）  情報を変換する情報変換部１２において、個人ＩＤに対応する情報の項目別習熟度に適合する形態に情報を変換する。
ステップ２０９）  回線接続インタフェース部１５とデータ送受信部１０を経由して通信機器２へ送信する。
【００３７】
ステップ２１０）  このとき制御部１４は、通信機器２からの該情報項目に対するアクセス回数から、個人ＩＤ毎の該情報の習熟度を自動判定し、個人毎項目別習熟度管理部２０に記憶された個人ＩＤ毎の情報の項目別習熟度を更新する。
ステップ２１１）  通信機器２は回線接続インタフェース部９とデータ送受信部５を経由して、センタ装置３からの情報を受信し、表示部８に表示する．
このように、第２の構成によれば、通信機器２が、個人識別情報が記憶された外部携帯形記憶媒体１６を利用することにより、個人識別情報をセンタ装置３に送信し、センタ装置３は、情報蓄積部１１に蓄積された情報の項目別習熟度を個人識別情報毎に管理することにより、通信機器２が情報検索時、センタ装置３は、個人識別情報毎に管理された情報の項目別習熟度を求め、情報蓄積部１１に蓄積された情報を、情報変換部１２において、個人識別情報毎に管理された情報の項目別習熟度に適合する形態に情報を変換し、変換された情報を通信機器２へ送信することが可能となる。
【００３８】
図５は、本発明の第３の情報通信システムの構成図である。この通信システムは、通信網１に接続され携帯形記憶媒体１６が装着される通信機器２と、この通信機器２に情報を提供するセンタ装置３とを備える。
携帯形記憶媒体１６は例えばＩＣカードにより構成され、個人ＩＤを記憶する個人ＩＤ記憶部１７と機器インタフェース部１８を備える。
【００３９】
通信機器２は、自通信機器の着信アドレス等の通信機器識別情報を記憶する通信機器識別情報記憶部４と、センタ装置３とデータを送受するデータ送受信部５と、制御部６と、サービス利用者が操作を行う操作入力部７と、表示を行う表示部８と、通信網１に接続する回線接続インタフェース部９と、携帯形記憶媒体１６が装着されるカードインタフェース部１９とを備え、制御部６は、センタ装置３へ接続した時、通信機器識別情報と個人ＩＤをセンタ装置３に通知する制御を行う。
【００４０】
センタ装置３は、通信機器２とデータを送受するデータ送受信部１０と、情報を蓄積する情報蓄積部１１と、情報を変換する情報変換部１２と、通信機器識別情報と通信機器２の機器仕様を対応づけて管理する通信機器機器仕様管理部１３と、制御部１４と、通信網１に接続する回線接続インタフェース部１５と、情報蓄積部１１に蓄積された情報の項目別習熟度を個人ＩＤ毎に管理する個人毎項目別習熟度管理部２０を備える。
【００４１】
図６は、本発明の第３の情報通信システムの動作のフローチャートである。
ステップ３０１）  サービス利用者は個人ＩＤが記憶された携帯形記憶媒体１６を通信機器２に装着する。
ステップ３０２）  サービス利用者は通信機器２に携帯形記憶媒体１６が装着された状態で操作入力部７からセンタアクセス番号を入力すると、制御部６は、データ送受信部５と回線接続インタフェース部９を経由してセンタ装置３への発信を行う。
【００４２】
ステップ３０３）  センタ装置３では、制御部１４により、回線接続インタフェース部１５とデータ送受信部１０を経由して通信機器２からのアクセスに対応する。
ステップ３０４）  センタ装置３が応答すると通信機器２の制御部６は、通信機器識別情報記憶部４に記憶されている通信機器識別情報と、携帯形記憶媒体１６内の個人ＩＤ記憶部１７から個人ＩＤを読み出し、データ送受信部５と回線接続インタフェース部９を経由して、通信機器識別情報と個人ＩＤをセンタ装置３へ送信する。
【００４３】
ステップ３０５）  センタ装置３は、この通信機器識別情報と個人ＩＤを回線接続インタフェース部１５とデータ送受信部１０により受信する。
ステップ３０６）  制御部１４は、通信機器識別情報と通信機器２の機器仕様を対応づけて管理する通信機器機器仕様管理部１３において、受信した通信機器識別情報から対応する通信機器の機器仕様を求める。
【００４４】
ステップ３０７）  情報蓄積部１１に蓄積された情報の項目別習熟度を個人ＩＤ毎に管理する個人毎項目別習熟度管理部２０において、受信した個人ＩＤに対応する情報の項目別習熟度を求める。
ステップ３０８）  通信機器２がセンター装置３への情報検索に対して、センタ装置３の制御部１４は、情報蓄積部１１に蓄積された情報を読み出す。
【００４５】
ステップ３０９）  情報を変換する情報変換部１２において、個人ＩＤに対応する情報の項目別習熟度に適合する形態に情報を変換する。
ステップ３１０）  さらに、通信機器２の機器仕様に適合する形態に情報を変換する。
ステップ３１１）  回線接続インタフェース部１５とデータ送受信部１０を経由して通信機器２へ送信する。
【００４６】
ステップ３１２）  このとき制御部１４は、通信機器２からの該情報項目に対するアクセス回数から、個人ＩＤ毎の該情報の項目別習熟度を自動判定し、個人毎項目別習熟度管理部２０に記憶された個人ＩＤ毎の情報の項目別習熟度を更新する。
ステップ３１３）  通信機器２は回線接続インタフェース部９とデータ送受信部５を経由して、センタ装置３からの情報を受信し、表示部８に表示する。
【００４７】
このように、第３の構成によれば、通信機器２において、自通信機器の通信機器識別情報と外部携帯形記憶媒体１６に記憶された個人識別情報をセンタ装置３へ送信し、センタ装置３は、通信機器識別情報と通信機器の機器仕様とを対応付けて管理し、情報蓄積部１１に蓄積された情報の項目別習熟度を個人識別情報毎に管理することにより、通信機器２が情報検索時、センタ装置３は、個人識別情報毎に、管理された情報の項目別習熟度と、受信した通信機器識別情報に基づいて通信機器２の機器仕様を求め、情報蓄積部１１に蓄積された情報を、情報変換手段により個人識別情報毎に管理された情報の項目別習熟度に適合する形態に情報を変換すると共に、通信機器の機器仕様に適合する形態に情報を変換し、変換された情報を通信機器２へ送信することができる。
【００４８】
図７は、本発明の第４の情報通信システムの構成を示す。この通信システムは、通信網１に接続され携帯形記憶媒体１６が装着される通信機器２と、この通信機器２に情報を提供するセンタ装置３とを備える。
携帯形記憶媒体１６は例えばＩＣカードにより構成され、個人ＩＤを記憶する個人ＩＤ記憶部１７と機器インタフェース部１８を備える。
【００４９】
通信機器２は、自通信機器の着信アドレス等の通信機器識別情報を記憶する通信機器識別情報記憶部４と、センタ装置３とデータを送受するデータ送受信部５と、制御部６と、サービス利用者が操作を行う操作入力部７と、表示を行う表示部８と、通信網１に接続する回転接続インタフェース部９と、携帯形記憶媒体１６が装着されるカードインタフェース部１９と、自通信機器の位置または方位を検出する位置方位情報検出部２１を備え、制御部６は、センタ装置３へ接続した時、通信機器識別情報と個人ＩＤをセンタ装置３に通知する制御と、位置方位情報検出部２１において位置または方位情報が更新されたとき個人ＩＤと位置または方位情報を送信する制御を行う。
【００５０】
センタ装置３は、通信機器２とデータを送受するデータ送受信部１０と、情報を蓄積する情報蓄積部１１と、情報を変換する情報変換部１２と、通信機器識別情報と通信機器２の機器仕様を対応づけて管理する通信機器機器仕様管理部１３と、制御部１４と、通信網１に接続する回線接続インタフェース部１５と、情報蓄積部１１に蓄積された情報の項目別習熟度を個人ＩＤ毎に管理する個人毎項目別習熟度管理部２０と、通信機器２から受信した位置または方位情報を基に、情報蓄積手段に蓄積された情報から該当する位置に関する情報を選択し、通信機器２の方位に対応するように該当情報の座標変換を行う該当位置情報選択・座標変換部２２を備える。
【００５１】
図８は、本発明の第４の情報通信システムの動作のフローチャートである。
ステップ４０１）  サービス利用者は個人ＩＤが記憶された携帯形記憶媒体１６を通信機器２に装着する。
ステップ４０２）  サービス利用者は通信機器２に携帯形記憶媒体１６が装着された状態で操作入力部７からセンタアクセス番号を入力すると、制御部６は、データ送受信部５と回線接続インタフェース部９を経由してセンタ装置３への接続を行う。
【００５２】
ステップ４０３）  センタ装置３では、制御部１４により、回線接続インタフェース部１５とデータ送受信部１０を経由して通信機器２からのアクセスに応答する。
ステップ４０４）  センタ装置３が応答すると通信機器２の制御部６は、通信機器識別情報記憶部４に記憶されている通信機器識別情報と、携帯形記憶媒体１６内の個人ＩＤ記憶部１７から個人ＩＤと、位置方位情報検出部２１において検出位置または方位情報を読み出し、データ送受信部５と回線接続インタフェース部９を経由して、通信機器識別情報と個人ＩＤと位置または方位情報をセンタ装置３へ送信する。
【００５３】
ステップ４０５）  センタ装置３は、この通信機器識別情報と個人ＩＤと位置または方位情報を回線接続インタフェース部１５とデータ送受信部１０により受信する。
ステップ４０６）  制御部１４は、該当位置情報選択・座標変換部２２において、該当する位置に関する情報を情報蓄積部１１から選択し読み出す。
【００５４】
ステップ４０７）  通信機器２の方位に対応するように該当情報の座標変換を行う。
ステップ４０８）  通信機器識別情報と通信機器２の機器仕様を対応づけて管理する通信機器機器仕様管理部１３において、受信した通信機器識別情報から対応する通信機器２の機器仕様を求める。
【００５５】
ステップ４０９）  情報蓄積部１１に蓄積された情報の項目別習熟度を個人ＩＤ毎に管理する個人毎項目別習熟度管理部２０において、該当情報について個人ＩＤに対応する情報の項目別習熟度を求める。
ステップ４１０）  通信機器２がセンタ装置３への情報検索に対して、センタ装置３の制御部１４は、座標変換された該当情報を、該当位置情報選択・座標変換部２２から読み出す。
【００５６】
ステップ４１１）  情報を変換する情報変換部１２において、個人ＩＤに対応する情報の項目別習熟度に適合する形態に情報を変換する。
ステップ４１２）  さらに、通信機器２の機器仕様に適合する形態に情報を変換する。
ステップ４１３）  回線接続インタフェース部１５とデータ送受信部１０を経由して通信機器２へ送信する。
【００５７】
ステップ４１４）  このとき制御部１４は、通信機器２からの該情報項目に対するアクセス回数から、個人毎の該情報の項目別習熟度を自動判定し、個人毎項目別習熟度管理部２０に記憶された個人ＩＤ毎の情報の項目別習熟度を更新する。
ステップ４１５）  通信機器２は回線接続インタフェース部９とデータ送受信部５を経由して、センタ装置３からの情報を受信し、表示部８に表示する。
【００５８】
ステップ４１６）  通信機器２が情報検索中に、位置方位情報検出部２１において検出した位置または方位情報が更新されたとき、通信機器２はその位置または方位情報を読み出し、データ送受信部５と回線接続インタフェース部９を経由して、通信機器識別情報と個人ＩＤと位置または方位情報をセンタ装置３へ送信する。
【００５９】
ステップ４１７）  以下、ステップ５０５からステップ５１６の繰り返しを行う。
上記のように第４の構成によれば、通信機器２において、自通信機器の位置または、方位を検出し、位置または、方位情報をセンタ装置３に送信し、センタ装置３は、通信機器２から受信した位置または、方位情報に基づいて情報蓄積部１１に蓄積された情報から該当する位置に関する情報を選択し、通信機器２の方位に対応するように該当情報の座標変換を行うことができ、通信機器２から検索要求が発行された際に、センタ装置３は、通信機器２より受信された位置または、方位情報に基づいて情報蓄積部１１に蓄積された情報を該当位置情報選択・座標変換部２２において、該当する位置に関する情報を選択し、通信機器２の方位に対応するように該当情報の座標変換を行い、変換された情報を通信機器２へ送信することができる。
【００６０】
図９は、本発明の第５の情報通信システムの構成を示す。この通信システムは、通信網１に接続され、携帯形記憶媒体１６が装着される通信機器２と、この通信機器に情報を提供するセンタ装置３とを備える。
携帯形記憶媒体１６は例えばＩＣカードにより構成され、個人ＩＤを記憶する個人ＩＤ記憶部１７と、機器インタフェース部１８と、センタ装置３と認証を行う認証制御部２３を備える。
【００６１】
通信機器２は、自通信機器の着信アドレス等の通信機器識別情報を記憶する通信機器識別情報記憶部４と、センタ装置３とデータを送受するデータ送受信部５と、制御部６と、サービス利用者が操作を行う操作入力部７と、表示を行う表示部８と、通信網１に接続する回線接続インタフェース部９と、携帯形記憶媒体１６が装着されるカードインタフェース部１９と、自通信機器２の位置または方位を検出する位置方位情報検出部２１を備え、制御部６は、センタ装置３へ接続した時、通信機器識別情報と個人ＩＤをセンタ装置３に通知する制御と、位置方位情報検出部２１において位置または方位情報が更新されたとき個人ＩＤと位置または方位情報を送信する制御を行う。
【００６２】
センタ装置３は、通信機器２とデータを送受するデータ送受信部１０と、情報を蓄積する情報蓄積部１１と、情報を変換する情報変換部１２と、通信機器識別情報と通信機器２の機器仕様を対応づけて管理する通信機器機器仕様管理部１３と、制御部１４と、通信網１に接続する回線接続インタフェース部１５と、情報蓄積部１１に蓄積された情報の項目別習熟度を個人ＩＤ毎に管理する個人毎項目別習熟度管理部２０と、通信機器２から受信した位置または方位情報を基に、情報蓄積手段に蓄積された情報から該当する位置に関する情報を選択し、通信機器２の方位に対応するように該当情報の座標変換を行う該当位置情報選択・座標変換部２２、携帯形記憶媒体の正当性を判定する携帯形記憶媒体認証部２４を備える。
【００６３】
図１０は、本発明の第５の情報通信システムの動作のフローチャートである。
ステップ５０１）  サービス利用者は個人ＩＤが記憶された携帯形記憶媒体１６を通信機器２に装着する。
ステップ５０２）  サービス利用者は通信機器２に携帯形記憶媒体１６が装着された状態で操作入力部７からセンタアクセス番号を入力すると、制御部６は、データ送受信部５と回線接続インタフェース部９を経由してセンタ装置３への発信を行う。
【００６４】
ステップ５０３）  センタ装置３では、制御部１４により、回線接続インタフェース部１５とデータ送受信部１０を経由して通信機器２からのアクセスに応答する。
ステップ５０４）  センタ装置３が応答すると、センタ装置３の携帯形記憶媒体認証部２４は接続された携帯形記憶媒体の正当性を判定するため、携帯形記憶媒体１６の認証制御部２３との間で認証制御を行う。
【００６５】
ステップ５０５）  携帯形記憶媒体認証部２４は、認証結果を制御部１４に通知する。
ステップ５０６）  制御部１４は、データ送受信部１０と回線接続インタフェース部１５を経由して認証結果を通信機器２に送信する。
ステップ５０７）  通信機器２の制御部６は、この認証結果を回線接続インタフェース部１５とデータ送受信部１０により受信する。
【００６６】
ステップ５０８）  携帯形記憶媒体１６の正当性が立証されたとき、制御部６は、通信機器識別情報記憶部４に記憶されている通信機器識別情報と、携帯形記憶媒体１６内の個人ＩＤ記憶部１７から個人ＩＤと、位置方位情報検出部２１において検出した位置または方位情報を読み出し、データ送受信部５と回線接続インタフェース部９を経由して、通信機器識別情報と個人ＩＤをセンタ装置３へ送信する。
【００６７】
ステップ５０９）  以降はステップ４０５からステップ４１７と同様である。
上記のように、第５の構成によれば、通信機器２がセンタ装置３に接続時において、外部携帯形記憶媒体の情報についてセンタ装置３との認証を行うものであり、外部携帯形記憶媒体の正当性を判断することができる。
なお、本発明は、上記の実施例に限定されることなく、特許請求の範囲内で種々変更・応用が可能である。
【００６８】
【発明の効果】
以上説明したように、この発明によれば、従来の通信システムに比べ、通信機器の機器仕様に適合した情報の供給を可能とする通信システムを提供することが可能となる。
また、本発明によれば、個人の習熟度に適合した情報や個人の位置または方位に関係した情報の供給を可能とする通信システムを提供することができ、利用者に対してより良い情報検索サービスを提供することができるという効果を奏する。
【図面の簡単な説明】
【図１】本発明の第１の情報通信システムの構成図である。
【図２】本発明の第１の情報通信システムの動作のフローチャートである。
【図３】本発明の第２の情報通信システムの構成図である。
【図４】本発明の第２の情報通信システムの動作のフローチャートである。
【図５】本発明の第３の情報通信システムの構成図である。
【図６】本発明の第３の情報通信システムの動作のフローチャートである。
【図７】本発明の第４の情報通信システムの構成図である。
【図８】本発明の第４の情報通信システムの動作のフローチャートである。
【図９】本発明の第５の情報通信システムの構成図である。
【図１０】本発明の第５の情報通信システムの動作のフローチャートである。
【図１１】従来の情報通信システムの構成図である。
【符号の説明】
１  通信網
２  通信機器
３  センタ装置
４  通信機器識別情報記憶部
５  データ送受信部
６  制御部
７  操作入力部
８  表示部
９  回線接続インタフェース部
１０  データ送受信部
１１  情報蓄積部
１２  情報変換部
１３  通信機器機器仕様管理部
１４  制御部
１５  回線接続インタフェース部
１６  携帯形記憶媒体
１７  個人ＩＤ記憶部
１８  機器インタフェース部
１９  カードインタフェース部
２０  個人毎項目別習熟度管理部
２１  位置方情報検出部
２２  該当位置情報選択・座標変換部
２３  認証制御部
２４  携帯形記憶媒体認証部
３１  従来の通信機器
３２  従来の通信機器
３３  回線接続インタフェース部
３４  データ送信部
３５  データ受信部
３６  情報蓄積部
３７  制御部
【図１】
0004072926.tif 000002
【図２】
0004072926.tif 000003
【図３】
0004072926.tif 000004
【図４】
0004072926.tif 000005
【図５】
0004072926.tif 000006
【図６】
0004072926.tif 000007
【図７】
0004072926.tif 000008
【図８】
0004072926.tif 000009
【図９】
0004072926.tif 000010
【図１０】
0004072926.tif 000011
【図１１】
0004072926.tif 000012